(57)【要約】【課題】送風によるコンテンツ提示に適したコンテンツ提示システム、コンテンツ提示装置及び風提示装置を提供すること。【解決手段】本技術に係るコンテンツ提示システムは、制御部と、風提示装置とを具備する。制御部は、コンテンツに含まれる所定のトリガに基づいて風提示用駆動信号を生成する。風提示装置は、開口が設けられた筐体と、筐体に支持された振動板と、前記風提示用駆動信号に基づいて前記振動板を駆動して筐体と振動板によって形成された空間の容積を減少させ、空間内の空気を開口から噴出させる振動板駆動機構とを備える。【選択図】図３
2018163700.tif 000002
【特許請求の範囲】
【請求項１】
コンテンツに含まれる所定のトリガに基づいて風提示用駆動信号を生成する信号生成部と、
開口が設けられた筐体と、前記筐体に支持された振動板と、前記風提示用駆動信号に基づいて前記振動板を駆動して前記筐体と前記振動板によって形成された空間の容積を減少させ、前記空間内の空気を前記開口から噴出させる振動板駆動機構とを備える風提示装置と
を具備するコンテンツ提示システム。
【請求項２】
請求項１に記載のコンテンツ提示システムであって、
前記信号生成部は、コンテンツから風データを生成する提示データ生成部と、前記風データを前記風提示装置に合わせて変調する風データ処理部と、前記風データ処理部によって変調された風データに基づいて前記風提示用駆動信号を生成する風提示部とを含む
コンテンツ提示システム。
【請求項３】
請求項１に記載のコンテンツ提示システムであって、
ユーザに触覚を提示する触覚提示装置をさらに具備し、
前記信号生成部は、前記コンテンツに含まれる所定のトリガに基づいて触覚提示用駆動信号を生成し、
前記触覚提示装置は、前記触覚提示用駆動信号に応じてユーザに触覚を提示する
コンテンツ提示システム。
【請求項４】
請求項１に記載のコンテンツ提示システムであって、
ユーザに音を提示する音提示装置をさらに具備し、
前記信号生成部は、前記コンテンツに含まれる所定のトリガに基づいて音提示用駆動信号を生成し、
前記音提示装置は、前記音提示用駆動信号に応じてユーザに音を提示する
コンテンツ提示システム。
【請求項５】
請求項１に記載のコンテンツ提示システムであって、
前記開口は、複数の開口を含む
コンテンツ提示システム。
【請求項６】
請求項１に記載のコンテンツ提示システムであって、
前記開口は、第１の開口と第２の開口を含み、
前記風提示装置は、前記第１の開口から前記筐体に流入する空気を通過させる第１の逆止弁と、前記第２の開口から噴出される空気を通過させる第２の逆止弁とをさらに具備する
コンテンツ提示システム。
【請求項７】
請求項１に記載のコンテンツ提示システムであって、
前記開口は、第１の開口と第２の開口を含み、
前記風提示装置は、前記第１の開口から前記筐体に流入する空気を通過させる第１のプロペラと、前記第２の開口から噴出される空気を通過させる第２のプロペラと、前記第１のプロペラと前記第２のプロペラの共通軸とをさらに具備する
コンテンツ提示システム。
【請求項８】
請求項１に記載のコンテンツ提示システムであって、
前記風提示装置は、前記振動板の振動によって音を発生させる
コンテンツ提示システム。
【請求項９】
請求項１に記載のコンテンツ提示システムであって、
前記風提示装置は、前記筐体内に配置され、前記空間内の空気の温度を変化させる温度変化素子をさらに具備する
コンテンツ提示システム。
【請求項１０】
請求項９に記載のコンテンツ提示システムであって、
前記信号生成部は、前記コンテンツに基づいて前記温度変化素子の温度を変化させる
コンテンツ提示システム。
【請求項１１】
請求項１に記載のコンテンツ提示システムであって、
前記風提示装置は、前記筐体内に配置され、前記空間内の気圧を計測する気圧センサをさらに具備し、
前記信号生成部は、前記気圧センサの出力に基づいて風提示用駆動信号を生成する
コンテンツ提示システム。
【請求項１２】
請求項１に記載のコンテンツ提示システムであって、
前記風提示装置は、前記筐体内に配置され、前記空間内の温度を計測する温度センサをさらに具備し、
前記信号生成部は、前記温度センサの出力に基づいて風提示用駆動信号を生成する
コンテンツ提示システム。
【請求項１３】
請求項１に記載のコンテンツ提示システムであって、
前記風提示装置は、前記開口を閉塞可能な弁を備え、
前記信号生成部は、前記振動板駆動機構を制御して前記空間内の気圧を上昇させ、コンテンツに含まれる所定のトリガに基づいて前記弁を開放させる
コンテンツ提示システム。
【請求項１４】
開口が設けられた筐体と、前記筐体に支持された振動板と、前記振動板を駆動して前記筐体と前記振動板によって形成された空間の容積を減少させ、前記空間内の空気を前記開口から噴出させる振動板駆動機構とを備える風提示装置と、
ユーザに触覚を提示する触覚提示装置と、
ユーザに音を提示する音提示装置と
を具備するコンテンツ提示装置。
【請求項１５】
開口が設けられた筐体と、
前記筐体に支持された振動板と、
前記振動板を駆動して前記筐体と前記振動板によって形成された空間の容積を減少させ、前記空間内の空気を前記開口から噴出させる振動板駆動機構と
を具備する風提示装置。
【発明の詳細な説明】
【技術分野】
【０００１】
本技術は、コンテンツとしてユーザに風を提示することが可能なコンテンツ提示システム、コンテンツ提示装置及び風提示装置に関する。
【背景技術】
【０００２】
近年、映像や音響に合わせて触覚を提示するような新しいコンテンツの提示方法が注目されている。例えば、ユーザのそれぞれに触覚提示デバイスを所持させ、映像等を再生する制御装置から触覚の提示タイミングを個々の触覚提示デバイスに指示することにより、映像や音響の進行に応じてユーザに触覚を提示させることができる。【０００３】
触覚提示デバイスとしては振動を発生させるものが一般的である。例えば特許文献１には、ユーザに対する通知として、振動を利用した触覚を提示する情報処理について記載されている。
【先行技術文献】
【特許文献】
【０００４】
【特許文献１】特開２０１６−１３１３０６号公報
【発明の概要】
【発明が解決しようとする課題】
【０００５】
上記特許文献１のような振動を利用した触角提示の他に、風提示が検討されている。例えば、動画やゲームの爆発シーンに合わせてユーザに送風を行うことにより臨場感あるユーザ体験を提示することが可能となる。【０００６】
送風手段としてはファンが一般的である。しかしながらファンは、所定の回転数に到達するまで時間を要し、瞬間的に送風を行うことが難しい。小径のファンを利用すると応答性を向上させることが可能であるが、騒音が生じるという問題がある。また、ファンを利用する場合には風の強度や風の周波数を任意に変更することが困難である。【０００７】
以上のような事情に鑑み、本技術の目的は、送風によるコンテンツ提示に適したコンテンツ提示システム、コンテンツ提示装置及び風提示装置を提供することにある。
【課題を解決するための手段】
【０００８】
上記目的を達成するため、本技術の一形態に係るコンテンツ提示システムは、信号生成部と、風提示装置とを具備する。
上記信号生成部は、コンテンツに含まれる所定のトリガに基づいて風提示用駆動信号を生成する。
上記風提示装置は、開口が設けられた筐体と、上記筐体に支持された振動板と、上記風提示用駆動信号に基づいて上記振動板を駆動して上記筐体と上記振動板によって形成された空間の容積を減少させ、上記空間内の空気を上記開口から噴出させる振動板駆動機構とを備える。【０００９】
この構成によれば、振動板が振動することにより、筐体と振動板で囲まれた空間の容積が減少し、同空間内の空気が開口から噴出することにより、ユーザに送風することが可能となる。ファン等の一般的な送風機構では、ファンが所定の回転数に達する間で時間を要するのに対し、本構成では瞬間的に送風を行うことが可能である。また、信号生成部がコンテンツに含まれる所定のトリガに基づいて風提示用駆動振動を生成することにより、コンテンツにおけるイベント（爆発シーン等）に伴って送風が行われ、ユーザに新たな体験を生じさせることが可能である。【００１０】
上記信号生成部は、コンテンツから風データを生成する提示データ生成部と、上記風データを上記風提示装置に合わせて変調する風データ処理部と、上記風データ処理部によって変調された風データに基づいて上記風提示用駆動信号を生成する風提示部とを含んでもよい。【００１１】
この構成によれば、提示データ生成部によってコンテンツから生成された風データは、風データ処理部によって風提示装置に合わせて変調されるため、風提示装置の構成に応じて風提示用駆動信号を生成することが可能となる。【００１２】
上記コンテンツ提示システムは、ユーザに触覚を提示する触覚提示装置をさらに具備し、上記信号生成部は、上記コンテンツに含まれる所定のトリガに基づいて触覚提示用駆動信号を生成し、上記触覚提示装置は、上記触覚提示用駆動信号に応じてユーザに触覚を提示してもよい。【００１３】
この構成によれば、ユーザに風提示装置から風を提示すると同時に触覚提示装置から触覚（振動、電気触覚、温度等）を提示することが可能となる。【００１４】
上記コンテンツ提示システムは、ユーザに音を提示する音提示装置をさらに具備し、
上記信号生成部は、上記コンテンツに含まれる所定のトリガに基づいて音提示用駆動信号を生成し、上記音提示装置は、上記音提示用駆動信号に応じてユーザに音を提示してもよい。【００１５】
この構成によれば、ユーザに風提示装置から風を提示すると同時に音提示装置から音を提示することが可能となる。【００１６】
上記開口は、複数の開口を含んでもよい。【００１７】
この構成によれば、風提示装置は、複数の開口から複数方向に同時に送風を行うことが可能となる。また、複数の開口の間で開口の大きさ又は形状を異なるものとすることにより、複数の開口から特性の異なる風を同時に出力することが可能となる。【００１８】
上記開口は、第１の開口と第２の開口を含み、上記風提示装置は、上記第１の開口から上記筐体に流入する空気を通過させる第１の逆止弁と、上記第２の開口から噴出される空気を通過させる第２の逆止弁とをさらに具備してもよい。【００１９】
この構成によれば、第１の開口を吸気専用とし、第２の開口を排気専用とすることができる。開口が一つの場合に比べて風の流れが一方向となるため、出力された風が遠くまで届くようになり、風の出力強度を大きくすることが可能となる。さらに、風の応答性が向上し、風の周波数（送風及び停止の単位時間当たりの回数）を大きく（間隔を短縮）することが可能となる。【００２０】
上記開口は、第１の開口と第２の開口を含み、上記風提示装置は、上記第１の開口から上記筐体に流入する空気を通過させる第１のプロペラと、上記第２の開口から噴出される空気を通過させる第２のプロペラと、上記第１のプロペラと上記第２のプロペラの共通軸とをさらに具備してもよい。【００２１】
この構成によれば、第１の開口を吸気専用とし、第２の開口を排気専用とすることができる。開口が一つの場合に比べて風の流れが一方向となるため、出力された風が遠くまで届くようになり、風の出力強度を大きくすることが可能となる。さらに、風の応答性が向上し、風の周波数（送風及び停止の単位時間当たりの回数）を大きく（間隔を短縮）することが可能となる。【００２２】
上記風提示装置は、上記振動板の振動によって音を発生させてもよい。【００２３】
この構成によれば、風提示装置を音提示装置としても利用することが可能となる。【００２４】
上記風提示装置は、上記筐体内に配置され、上記空間内の空気の温度を変化させる温度変化素子をさらに具備してもよい。【００２５】
この構成によれば、風提示装置から噴出される風の温度を調整することができ、温風又は冷風を噴出することが可能となる。【００２６】
上記信号生成部は、上記コンテンツに基づいて上記温度変化素子の温度を変化させてもよい。【００２７】
この構成によれば、コンテンツの内容に応じて風提示装置から噴出される風の温度を調整することが可能となる。【００２８】
上記風提示装置は、上記筐体内に配置され、上記空間内の気圧を計測する気圧センサをさらに具備し、上記信号生成部は、上記気圧センサの出力に基づいて風提示用駆動信号を生成してもよい。【００２９】
この構成によれば、気圧センサによって測定される筐体内の気圧に応じて、風提示装置から噴出される風の強さを調整することが可能となる。【００３０】
上記風提示装置は、上記筐体内に配置され、上記空間内の温度を計測する温度センサをさらに具備し、上記信号生成部は、上記温度センサの出力に基づいて風提示用駆動信号を生成してもよい。【００３１】
この構成によれば、気圧センサによって測定される筐体内の温度に応じて、風提示装置から噴出される風の温度を調整することが可能となる。【００３２】
上記風提示装置は、上記開口を閉塞可能な弁を備え、上記信号生成部は、上記振動板駆動機構を制御して上記空間内の気圧を上昇させ、コンテンツに含まれる所定のトリガに基づいて上記弁を開放させてもよい。【００３３】
この構成によれば、筐体内の空気を加圧しておき、トリガに基づいて弁を開放することによって、風速の大きな風を噴出することが可能となる。【００３４】
上記目的を達成するため、本技術の一形態に係るコンテンツ提示装置は、風提示装置と、触覚提示装置と、音提示装置とを具備する。
上記風提示装置は、開口が設けられた筐体と、上記筐体に支持された振動板と、上記振動板を駆動して上記筐体と上記振動板によって形成された空間の容積を減少させ、上記空間内の空気を上記開口から噴出させる振動板駆動機構とを備える。
上記触覚提示装置は、ユーザに触覚を提示する。
上記音提示装置は、ユーザに音を提示する。【００３５】
上記目的を達成するため、本技術の一形態に係る風提示装置は、筐体と、振動板と、振動板駆動機構とを具備する。
上記筐体は、開口が設けられている。
上記振動板は、上記筐体に支持されている。
上記振動板駆動機構は、上記振動板を駆動して上記筐体と上記振動板によって形成された空間の容積を減少させ、上記空間内の空気を上記開口から噴出させる。
【発明の効果】
【００３６】
以上のように、本技術によれば、送風によるコンテンツ提示に適したコンテンツ提示システム、コンテンツ提示装置及び風提示装置を提供することが可能である。なお、ここに記載された効果は必ずしも限定されるものではなく、本開示中に記載されたいずれかの効果であってもよい。
【図面の簡単な説明】
【００３７】
【図１】本技術の実施態様に係るコンテンツ提示装置の模式図である。
【図２】同コンテンツ提示装置が備える風提示装置の断面図である。
【図３】同コンテンツ提示装置が備える風提示装置の動作を示す模式図である。
【図４】同コンテンツ提示装置の動作を示す模式図である。
【図５】同コンテンツ提示装置が備える風提示装置のコイルへの入力電圧及び風提示装置から出力される風の出力強度を示すグラフである。
【図６】本技術の実施態様に係るコンテンツ提示システムの模式図である。
【図７】同コンテンツ提示システムの機能的構成を示すブロック図である。
【図８】同コンテンツ提示システムの風データ処理部による変調を示すグラフである
【図９】同コンテンツ提示システムが処理する風データの周波数特性を示すグラフである。
【図１０】同コンテンツ提示システムの動作を示すフローチャートである。
【図１１】同コンテンツ提示システムの別の動作を示すフローチャートである。
【図１２】本技術の実施態様に係る、他の構成を有する風提示装置の模式図である。
【図１３】本技術の実施態様に係る、他の構成を有する風提示装置の模式図である。
【図１４】本技術の実施態様に係る、他の構成を有する風提示装置の模式図である。
【図１５】本技術の実施態様に係る、他の構成を有する風提示装置の模式図である。
【図１６】本技術の実施態様に係る、他の構成を有する風提示装置の模式図である。
【図１７】本技術の実施態様に係る、他の構成を有するコンテンツ提示装置の模式図である。
【図１８】本技術の実施態様に係るコンテンツ提示システムの適用例を示す模式図である。
【図１９】本技術の実施態様に係るコンテンツ提示システムの適用例を示す模式図である。
【図２０】本技術の実施態様に係るコンテンツ提示システムの適用例を示す模式図である。
【図２１】本技術の実施態様に係るコンテンツ提示システムの適用例を示す模式図である。
【図２２】本技術の実施態様に係るコンテンツ提示システムのハードウェア構成を示すブロック図である。
【発明を実施するための形態】
【００３８】
［コンテンツ提示装置の構成］
本技術の実施形態に係るコンテンツ提示装置について説明する。図１は、本実施形態に係るコンテンツ提示装置１００の模式図である。同図に示すように、コンテンツ提示装置１００はユーザＵが着用可能なベスト型装置である。
【００３９】
コンテンツ提示装置１００は、支持部材１０１、風提示装置１０２、触覚提示装置１０３及び音提示装置１０４を備える。
【００４０】
支持部材１０１は、ユーザに装着可能に構成されている。支持部材１０１は例えばベスト型であるがこれに限られず、ベルト型や背負い型等のユーザが着用可能なものであればよい。また、後述するように支持部材１０１はユーザが把持可能なものであってもよい。
【００４１】
風提示装置１０２はユーザＵに風を提示する。風提示装置１０２の構成については後述する。風提示装置１０２の数や配置は特に限定されないが、配置はユーザＵの顔の近傍が好適である。
【００４２】
触覚提示装置１０３はユーザＵに触覚を提示する。触覚提示装置１０３は、振動、電気刺激又は発熱等によってユーザに触覚を提示する装置である。触覚提示装置１０３がユーザに提示する触覚は振動、温度、痛み、力感等のいずれであってもよい。触覚提示装置１０３の数や配置は特に限定されない。
【００４３】
音提示装置１０４は、スピーカ等であり、ユーザに音を提示する。音提示装置１０４の数や配置は特に限定されない。
【００４４】
［風提示装置の構成］
図２は、風提示装置１０２の具体的構成を示す模式図である。同図に示すように風提示装置１０２は、筐体１１１、振動板１１２、コイル１１３、ダンパー１１４、マグネット１１５及び軸芯１１６を備える。
【００４５】
筐体１１１は、支持部材１０１に固定される部材である。筐体１１１は、筐体１１１の内部と外部に連通する開口１１１ａ、筐体１１１の内部に設けられた開口１１１ｂ及び開口１１１ｃを備える。筐体１１１の形状は例えば円筒型であり、合成樹脂あるいは金属からなるものとすることができる。筐体１１１内には、筐体１１１内の気圧を計測する気圧センサや筐体１１１内の温度を計測する温度センサ等の各種センサが設けられてもよい。
【００４６】
振動板１１２は、筐体１１１に支持され、筐体１１１に対して振動可能に構成されている。振動板１１２は紙、合成樹脂又は金属等からなる板状部材である。
【００４７】
コイル１１３は、振動板１１２の中央部に接続されている。コイル１１３には図示しない配線が接続され、当該配線から供給される電流によって電磁力を発生させる。
【００４８】
ダンパー１１４は、筐体１１１とコイル１１３を接続し、コイル１１３を筐体１１１に対して振動可能に支持する。ダンパー１１４は、可撓性を有する材料、例えば合成樹脂からなるものとすることができる。ダンパー１１４は、音提示装置に用いられる一般的なダンパーに比べて軟らかいものが好適である。また、ダンパー１１４は、電気的に柔らかさを調整可能な構成を有するものであってもよい。
【００４９】
マグネット１１５は、筐体１１１に固定され、コイル１１３との間で磁力を作用させる。マグネット１１５は例えば環状形状を有する。
【００５０】
軸芯１１６は、筐体１１１に固定され、コイル１１３の磁界を向上させる。軸芯１１６は磁性体からなり、コイル１１３の捲回中心に配置されている。
【００５１】
［風提示装置の動作］
図３は、風提示装置１０２の動作を示す模式図である。コイル１１３に電流が供給されると、コイル１１３とマグネット１１５の間に磁力が作用し、コイル１１３がマグネット１１５に吸引される。コイル１１３に伴って振動板１１２が筐体１１１に対して接近する（図中、白矢印）。
【００５２】
これにより、筐体１１１及び振動板１１２によって囲まれた空間の容積が減少し、筐体１１１内の空気は開口１１１ｂ及び開口１１１ｃを通過し、開口１１１ａから噴出する（図中黒矢印）。このようにして開口１１１ａから空気が噴出される。
【００５３】
図４は、ユーザＵに対する風提示の態様を示す模式図である。同図に示すように、風提示装置１０２からユーザＵに風（図中矢印）が提示される。なお、複数の風提示装置１０２から風が提示されるタイミングは互いに異なってもよい。また、風提示装置１０２からの風の提示と共に触覚提示装置１０３及び音提示装置１０４から触覚及び音がユーザＵに提示されてもよい。
【００５４】
このように、コイル１１３への電流供給によって送風を制御することができる。図５は、コイル１１３への入力電圧と風の出力強度を示すグラフである。図５（ａ）に示すような波形で入力電圧を印加すると、図５（ｂ）に示すように入力電圧に応じた風が出力される。
【００５５】
振動板１１２の移動は高速であるため送風の応答性を高いものとすることができる。また、コイル１１３への電流供給を調整することによって、風の強度及び周波数（一定時間あたりの送風回数）を調整することが可能である。
【００５６】
なお、風提示装置１０２は、コイル１１３とマグネット１１５の磁力作用を利用して振動板１１２を駆動するものとしたがこれに限られない。風提示装置１０２は、振動板１１２を駆動可能な他の振動板駆動機構を備えていてもよい。具体的にはピエゾ素子や事前に貯めておいた圧縮空気によって振動板１１２を駆動する構成であってもよい。また、開口１１１ａに弁を設け、振動板駆動機構によって筐体１１１内の気圧を上昇させた後に所定のタイミングで弁を開放し、風速の大きい風を送風させてもよい。
【００５７】
［コンテンツ提示システムの機能的構成］
図６は、コンテンツ提示装置１００を含むコンテンツ提示システム１５０の模式図である。同図に示すように、コンテンツ提示システム１５０は、コンテンツ提示装置１００及び情報処理装置１５１から構成されている。
【００５８】
情報処理装置１５１は、ＰＣ、サーバ装置、スマートフォン又はビデオゲーム機等の各種情報処理装置である。情報処理装置１５１は、図６に示すように、風提示装置１０２、触覚提示装置１０３及び音提示装置１０４のそれぞれと通信可能に構成されている。この通信は有線通信であってもよく、無線通信であってもよい。また、インターネット等のコンピュータネットワークを介した通信であってもよい。
【００５９】
図７は、コンテンツ提示システム１５０の機能的構成を示すブロック図である。同図に示すように、コンテンツ提示システム１５０は、提示データ生成部１６１、風データ処理部１６２、触覚データ処理部１６３、音響データ処理部１６４、通信部１６５、風提示部１６６、触覚提示部１６７及び音響提示部１６８を備える。これらの機能的構成は後述するハードウェアとソフトウェアの協働によって実現される。
【００６０】
提示データ生成部１６１は、風データ、触覚データ及び音響データを含む提示データを生成する。提示データ生成部１６１は、ストレージ又はネットワーク上のサーバ等から提示データを取得することができる。また、提示データ生成部１６１は、映画やゲーム等の各種コンテンツデータから提示データを推定し、生成してもよい。
【００６１】
具体的には提示データ生成部１６１は、コンテンツの音響レベルが一定以上となった場合に音響レベルに応じた風データを生成することができる。また、提示データ生成部１６１は、映像コンテンツの動きが激しくなった場合に、動きの激しさに応じた風データを生成してもよい。さらに、提示データ生成部１６１は、コンテンツ提示装置１００に搭載された加速度センサやジャイロセンサ等のモーションセンサの出力値の大きさに応じて風データを生成してもよい。
【００６２】
風データ処理部１６２は、提示データ生成部１６１によって生成された風データを処理する。風データ処理部１６２は、風データを風提示装置１０２の特性に合わせて変調することができる。図８は、風データ処理部１６２による変調の態様を示すグラフである。図８（ａ）は風データの周波数特性の例であり、図８（ｂ）は風提示装置１０２の周波数特性の例である。
【００６３】
このように風提示装置１０２が低周波領域に出力特性を持っている場合（振動板駆動機構がストロークの大きなゆっくりとした動きに適している場合）、図８（ｃ）に示すように風データの周波数特性を低周波素領域にシフトする。同様に、風データ処理部１６２は、風提示装置１０２が高周波領域に出力特性を持っている場合（振動板駆動機構がストロークの小さな速い動きに適している場合）、風データの周波数特性を高周波素領域にシフトする。
【００６４】
また、風データ処理部１６２は、筐体１１１内に設けられたセンサのセンサ値に基づいて風データを変調してもよい。具体的には、風データ処理部１６２は、筐体１１１内に設けられた気圧センサのセンサ値に応じて風データを変調することができる。例えば、風データ処理部１６２は、筐体１１１内の気圧が高い場合には風データのゲインレベルを下げ、気圧が低い場合には風データのゲインレベルを上げることができる。
【００６５】
さらに、風データ処理部１６２は、音響データ、触覚データ及び風データが複合されている場合、周波数領域毎にデータを分離してもよい。図９は、風データの周波数特性を示すグラフである。同図に示すように風データ処理部１６２は、風データに該当する周波数領域を抽出することができる。風データ処理部１６２は処理した風データを風提示部１６６に供給する。
【００６６】
触覚データ処理部１６３は、提示データ生成部１６１によって生成された触覚データを処理する。触覚データ処理部１６３は、触覚データを触覚提示装置１０３の特性に合わせて変調することができる。また、触覚データ処理部１６３は、図９に示すように、音響データ、触覚データ及び風データが複合されている場合に触覚データを抽出することも可能である。触覚データ処理部１６３は処理した触覚データを触覚提示部１６７に供給する。
【００６７】
音響データ処理部１６４は、提示データ生成部１６１によって生成された音響データを処理する。音響データ処理部１６４は、音響データを音提示装置１０４の特性に合わせて変調することができる。また、音響データ処理部１６４は、図９に示すように、音響データ、触覚データ及び風データが複合されている場合に音響データを抽出することも可能である。音響データ処理部１６４は処理した音響データを音響提示部１６８に供給する。
【００６８】
通信部１６５は、風提示装置１０２、触覚提示装置１０３及び音提示装置１０４のそれぞれと情報処理装置１５１との間で通信を行う。通信部１６５は上記のように有線又は無線によって通信を行うものとすることができる。
【００６９】
風提示部１６６は、風データ処理部１６２から供給された風データに基づいて風提示装置１０２に駆動信号を供給し、風提示装置１０２を動作させる。なお、風の提示は触覚及び音の提示に対して遅延が生じるため、風提示部１６６は触覚提示部１６７及び音響提示部１６８による触覚及び音の提示より早めに風の提示を開始してもよい。
【００７０】
また、風提示部１６６は、筐体１１１内に設けられた気圧センサの出力に基づいて提示させる風の強さを推定することができ、開口１１１ａの径や振動板駆動機構のストローク又は周波数を変化させてもよい。さらに、風提示部１６６は、風提示装置１０２の周囲で発生している風の強さをセンシングし、所定の強さの風をユーザが感じるように、提示する風の強さを調整してもよい。また、風提示部１６６は、周囲の風を打ち消すような風を出力させてもよい。
【００７１】
さらに、風提示部１６６は、複数の風提示装置１０２を連携させて、一方向からユーザを通過して他方向に流れるような風を提示してもよい。また、所定以上に風を提示して、強い風を感じているような感覚を与えることや、間隔のあいた二か所に風を提示することで、その二か所間にも風を知覚させること、風の強弱をあえて強調して、メリハリのある風を提示することも可能である。
【００７２】
触覚提示部１６７は、触覚データ処理部１６３から供給された触覚データに基づいて触覚提示装置１０３に駆動信号を供給し、触覚提示装置１０３を動作させる。
【００７３】
音響提示部１６８は、音響データ処理部１６４から供給された音響データに基づいて音提示装置１０４に駆動振動を供給し、音提示装置１０４を動作させる。
【００７４】
コンテンツ提示システム１５０は以上のような機能的構成を有する。上記のようにこれらの機能的構成によって、風提示装置１０２、触覚提示装置１０３及び音提示装置１０４の駆動信号を生成する信号生成部が実現されている。なお、上記各構成は情報処理装置１５１及びコンテンツ提示装置１００のいずれに搭載されていてもよい。典型的には提示データ生成部１６１は情報処理装置１５１に搭載され、風データ処理部１６２、触覚データ処理部１６３、音響データ処理部１６４、風提示部１６６、触覚提示部１６７及び音響提示部１６８はコンテンツ提示装置１００に搭載されるものとすることができる。また、機能的構成の全てが情報処理装置１５１に搭載されてもよく、機能的構成の全てがコンテンツ提示装置１００に搭載されてもよい。
【００７５】
［コンテンツ提示システムの動作］
図１０はコンテンツ提示システム１５０の動作を示すフローチャートである。同図に示すように、コンテンツのイベントが発生（Ｓｔ１０１）すると、このイベントをトリガとして提示データ生成部１６１は、風データ、触覚データ及び音響データを含む提示データを生成する。コンテンツのイベントは例えば、映画やゲームの特定のシーン（爆発シーン等）である。
【００７６】
イベントに風情報が含まれている場合（Ｓｔ１０２：Ｙｅｓ）、提示データ生成部１６１はコンテンツから風データを取得（Ｓｔ１０３）し、風データ処理部１６２に供給する。風データ処理部１６２は、風データを処理して風提示部１６６に供給し、風提示装置１０２を動作させる（Ｓｔ１０４）。
【００７７】
風提示装置１０２の動作後、又はイベントに風情報が含まれていない場合（Ｓｔ１０２：Ｎｏ）においてイベントに触覚情報が含まれている場合（Ｓｔ１０５：Ｙｅｓ）、提示データ生成部１６１はコンテンツから触覚データを取得（Ｓｔ１０６）し、触覚データ処理部１６３に供給する。触覚データ処理部１６３は、触覚データを処理して触覚提示部１６７に供給し、触覚提示装置１０３を動作させる（Ｓｔ１０７）。
【００７８】
触覚提示装置１０３の動作後、又はイベントに触覚情報が含まれていない場合（Ｓｔ１０５：Ｎｏ）においてイベントに音響情報が含まれている場合（Ｓｔ１０８：Ｙｅｓ）、提示データ生成部１６１はコンテンツから音響データを取得（Ｓｔ１０９）し、音響データ処理部１６４に供給する。音響データ処理部１６４は、音響データを処理して音響提示部１６８に供給し、音提示装置１０４を動作させる（Ｓｔ１１０）。
【００７９】
図１１はコンテンツ提示システム１５０の別の動作を示すフローチャートである。同図に示すように、コンテンツのイベントが発生（Ｓｔ１２１）すると、このイベントをトリガとして提示データ生成部１６１は、コンテンツから風データ、触覚データ及び音響データを分離し、又は風データ処理部１６２、触覚データ処理部１６３及び音響データ処理部１６４はそれぞれのデータを抽出する（Ｓｔ１２２）。
【００８０】
風データ処理部１６２、触覚データ処理部１６３及び音響データ処理部１６４は、風提示装置１０２、触覚提示装置１０３及び音提示装置１０４のそれぞれのデバイス情報及びセンサ値の一方又は両方を取得する（Ｓｔ１２３）。
【００８１】
続いて風データ処理部１６２、触覚データ処理部１６３及び音響データ処理部１６４は、デバイス情報及びセンサ値に基づいて各種データを変調する（Ｓｔ１２４）。風データ処理部１６２は、処理した風データを風提示部１６６に供給し、風提示装置１０２を動作させる（Ｓｔ１２５）。また、触覚データ処理部１６３は、処理した触覚データを触覚提示部１６７に供給し、触覚提示装置１０３を動作させる（Ｓｔ１２５）。また、音響データ処理部１６４は、処理した音響データを音響提示部１６８に供給し、音提示装置１０４を動作させる（Ｓｔ１２５）。
【００８２】
コンテンツ提示システム１５０は以上のような動作を行う。これにより、コンテンツにおけるイベントに伴って風提示装置１０２、触覚提示装置１０３及び音提示装置１０４が連携して動作し、ユーザにコンテンツに伴ったユーザ体験を提供することが可能となる（後述する適用例参照）。なお、コンテンツ提示システム１５０は、風、触覚及び音の全てを同時にユーザに提示するものでなくてもよく、異なるタイミングでユーザに提示してもよい。また、コンテンツ提示システム１５０は、風、触覚及び音に加え、視覚をユーザに提示してもよい。
【００８３】
［風提示装置の他の構成］
風提示装置１０２の構成は上述の物に限られず、以下に示す各構成を有するものとすることができる。図１２乃至図１６は、風提示装置１０２の他の構成を示す模式図である。
【００８４】
図１２に示すように、筐体１１１に複数の開口１１１ａを設けてもよい。筐体１１１に複数の開口１１１ａを設けることにより、複数方向に同時に送風を行うことが可能となる。開口の数は２つ以上であってもよい。また、複数の開口１１１ａの間で開口の大きさ又は形状を異なるものとすることにより、複数の開口１１１ａから特性の異なる風を同時に出力することが可能となる。例えば、開口径の大きい開口１１１ａからは風速の遅い風を出力し、開口径の小さい開口１１１ａからは風速の速い風を出力することが可能となる。
【００８５】
また、図１３に示すように、二つの開口１１１ａのそれぞれに逆止弁１１７及び逆止弁１１８を設けてもよい。逆止弁１１７は筐体外から筐体内に進行する風を通過させる弁であり、逆止弁１１８は筐体内から筐体外に進行する風を通過させる弁である。図中矢印で示すように、逆止弁１１７を備える開口１１１ａを吸気専用とし、逆止弁１１８を備える開口１１１ａを排気専用とすることができる。
【００８６】
開口１１１ａが一つの場合に比べて風の流れが一方向となるため、出力された風が遠くまで届くようになり、風の出力強度を大きくすることが可能となる。さらに、風の応答性が向上し、風の周波数（送風及び停止の単位時間当たりの回数）を大きく（間隔を短縮）することが可能となる。
【００８７】
また、図１４に示すように、二つの開口１１１ａのそれぞれにプロペラ１１９及びプロペラ１２０を設けてもよい。プロペラ１１９及びプロペラ１２０は動力に接続されておらず、共通軸１２１によって互いに接続され、同一方向に回転するように構成されている。これにより、開口１１１ａの一方を吸気専用とし、他方を排気専用とすることができる。また、同図に示すように、吸気側の開口１１１ａに開口径が次第に減少するようなダクト構造１２２を設けてもよい。これにより、逆止弁のような機能とすることができる。
【００８８】
この構成においても開口１１１ａが一つの場合に比べて風の流れが一方向となるため、出力された風が遠くまで届くようになり、風の出力強度を大きくすることが可能となる。さらに、風の応答性が向上し、風の周波数（送風及び停止の単位時間当たりの回数）を大きく（間隔を短縮）することが可能となる。
【００８９】
また、図１５に示すように、振動板１１２を利用して、風と音の両方を同時に出力することも可能である。この場合、風データ処理部１６２は、風提示部１６６に入力するアナログ信号のうち、低周波領域を風提示用、高周波領域を音響提示用とすることが可能である。また、風提示装置１０２は音を出力するモードと風を出力モードを切り替え可能に構成されていてもよい。音を出力するモードの場合には開口１１１ａの径を大きくすることにより、高周波領域まで音が出るようにすることができる。風を出力するモードの場合には開口１１１ａの径を小さくすることができる。
【００９０】
また、図１６に示すように、筐体１１１内に温度変化素子１２３を設けてもよい。温度変化素子１２３は筐体１１１内の空気の温度を変更させることが可能なものであればよく、発熱素子又は冷却素子のいずれか一方又は両方とすることができる。発熱素子は例えば電熱線であり、冷却素子は例えばペルチェ素子である。温度変化素子１２３によって筐体１１１内の空気の温度を変更することで、ユーザに冷風や温風を送風することが可能となる。
【００９１】
風提示装置１０２が温度変化素子１２３を備える場合には、風データ処理部１６２は筐体１１１内に設けられた温度センサのセンサ値に応じて風データを変調することができる。例えば、風データ処理部１６２は、筐体１１１内の温度が高い場合には風データの温度値を下げて冷風を出力させ、温度が低い場合には風データの温度値を上げて温風を出力させることができる。また、風データ処理部１６２は、コンテンツの内容に応じて風データを変調することも可能であり、例えば熱帯環境のシーンでは温風を、寒冷帯環境のシーンでは冷風を出力させること等が可能である。
【００９２】
［コンテンツ提示装置の他の構成］
上記説明においてコンテンツ提示装置１００は、ユーザＵが着用可能なベスト型装置としたがこれに限られない。図１７は、他の構成を有するコンテンツ提示装置１００の模式図である。同図に示すコンテンツ提示装置１００は、銃型の支持部材１０１に、風提示装置１０２、触覚提示装置１０３及び音提示装置１０４が搭載されて構成されている。これにより、例えば銃のトリガが引かれると同時に触覚及び音と共に風がユーザに提示され、発砲時の爆風をユーザに体感させることが可能となる。
【００９３】
この他にコンテンツ提示装置１００は、スマートフォン、触覚グローブ、電気触覚デバイス、モーションコントローラ及びゲームパッド等のユーザが着用又は把持することが可能な各種装置であるものとすることが可能である。
【００９４】
［適用例］
図１８及び図１９は、コンテンツ提示システム１５０の適用例を示す模式図である。図１８に示すように、ベスト型のコンテンツ提示装置１００を着用しているユーザＵが３Ｄコンテンツを視聴している際に、画面Ｇ内から飛び出してきたボール（仮想オブジェクト）ＢがユーザＵの方に飛んでくる映像演出を行う。
【００９５】
飛び出したボールがユーザＵの体へ衝突し、衝突イベントが発生すると、図１９に示すようにコンテンツ提示システム１５０が衝突イベントと同時に複数の触覚提示装置１０３を連携させ、衝突位置が想起されるように触覚提示装置１０３から衝突感を出力する。また、コンテンツ提示システム１５０は衝突イベント同時に複数の音提示装置１０４を連携させ、衝突位置が想起されるように音提示装置１０４から衝突音を出力する。
【００９６】
さらに、コンテンツ提示システム１５０は衝突イベントと同時に複数の風提示装置１０２を連携させ、衝突位置が想起されるように風提示装置１０２から風を出力（図中矢印）する。これにより、ユーザは、触覚及び音に加えて風によって衝突イベントを体感することが可能となる。
【００９７】
図２０及び図２１は、コンテンツ提示システム１５０の別の適用例を示す模式図である。図２０に示すように、銃型のコンテンツ提示装置１００を把持しているユーザＵが３Ｄコンテンツを視聴している際に、画面Ｇ内の目標物（仮想オブジェクト）Ｂに銃口を向け、引金を引き、弾を発射するイベントを生じさせる。
【００９８】
コンテンツ提示システム１５０は図２１に示すように発射イベント同時に触覚提示装置１０３を振動させ、音提示装置１０４から発射音を出力する。また、コンテンツ提示システム１５０は発射イベントと同時に風提示装置１０２から風を出力（図中矢印）する。これにより、ユーザは、触覚及び音に加えて風によって発射イベントを体感することが可能となる。
【００９９】
［ハードウェア構成］
図２２は、情報処理装置１５１のハードウェア構成を示す模式図である。同図に示すように情報処理装置１５１はハードウェア構成として、ＣＰＵ１５２、ＧＰＵ１５３、メモリ１５４、ストレージ１５５及び入出力部（Ｉ／Ｏ）１５６を有する。これらはバス１５７によって互いに接続されている。
【０１００】
ＣＰＵ（Central Processing Unit）１５２は、メモリ１５４に格納されたプログラムに従って他の構成を制御すると共に、プログラムに従ってデータ処理を行い、処理結果をメモリ１５４に格納する。ＣＰＵ１５２はマイクロプロセッサとすることができる。
【０１０１】
ＧＰＵ（Graphic Processing Unit）１５３は、ＣＰＵ１５２による制御を受けて、画像処理を実行する。ＧＰＵ１５３はマイクロプロセッサとすることができる。
【０１０２】
メモリ１５４はＣＰＵ１５２によって実行されるプログラム及びデータを格納する。メモリ１５４はＲＡＭ（Random Access Memory）とすることができる。
【０１０３】
ストレージ１５５は、プログラムやデータを格納する。ストレージ１５５はＨＤＤ（hard disk drive）やＳＳＤ（solid state drive）とすることができる。
【０１０４】
入出力部１５６は情報処理装置１５１に対する入力を受け付け、また情報処理装置１５１の出力を外部に供給する。入出力部１５６は、キーボードやマウス等の入力機器やディスプレイ等の出力機器、ネットワーク等の接続インターフェイスを含む。
【０１０５】
情報処理装置１５１のハードウェア構成はここに示すものに限られず、情報処理装置１５１の機能的構成を実現できるものであればよい。また、上記ハードウェア構成の一部又は全部はネットワーク上に存在していてもよい。
【０１０６】
なお、本技術は以下のような構成もとることができる。
【０１０７】
（１）
コンテンツに含まれる所定のトリガに基づいて風提示用駆動信号を生成する信号生成部と、
開口が設けられた筐体と、上記筐体に支持された振動板と、上記風提示用駆動信号に基づいて上記振動板を駆動して上記筐体と上記振動板によって形成された空間の容積を減少させ、上記空間内の空気を上記開口から噴出させる振動板駆動機構とを備える風提示装置と
を具備するコンテンツ提示システム。
【０１０８】
（２）
上記（１）に記載のコンテンツ提示システムであって、
上記信号生成部は、コンテンツから風データを生成する提示データ生成部と、上記風データを上記風提示装置に合わせて変調する風データ処理部と、上記風データ処理部によって変調された風データに基づいて上記風提示用駆動信号を生成する風提示部とを含む
コンテンツ提示システム。
【０１０９】
（３）
上記（１）又は（２）に記載のコンテンツ提示システムであって、
ユーザに触覚を提示する触覚提示装置をさらに具備し、
上記信号生成部は、上記コンテンツに含まれる所定のトリガに基づいて触覚提示用駆動信号を生成し、
上記触覚提示装置は、上記触覚提示用駆動信号に応じてユーザに触覚を提示する
コンテンツ提示システム。
【０１１０】
（４）
上記（１）から（３）のうちいずれか一つに記載のコンテンツ提示システムであって、
ユーザに音を提示する音提示装置をさらに具備し、
上記信号生成部は、上記コンテンツに含まれる所定のトリガに基づいて音提示用駆動信号を生成し、
上記音提示装置は、上記音提示用駆動信号に応じてユーザに音を提示する
コンテンツ提示システム。
【０１１１】
（５）
上記（１）から（４）のうちいずれか一つに記載のコンテンツ提示システムであって、
上記開口は、複数の開口を含む
コンテンツ提示システム。
【０１１２】
（６）
上記（１）から（４）のうちいずれか一つに記載のコンテンツ提示システムであって、
上記開口は、第１の開口と第２の開口を含み、
上記風提示装置は、上記第１の開口から上記筐体に流入する空気を通過させる第１の逆止弁と、上記第２の開口から噴出される空気を通過させる第２の逆止弁とをさらに具備する
コンテンツ提示システム。
【０１１３】
（７）
上記（１）から（４）のうちいずれか一つに記載のコンテンツ提示システムであって、
請求項１に記載のコンテンツ提示システムであって、
上記開口は、第１の開口と第２の開口を含み、
上記風提示装置は、上記第１の開口から上記筐体に流入する空気を通過させる第１のプロペラと、上記第２の開口から噴出される空気を通過させる第２のプロペラと、上記第１のプロペラと上記第２のプロペラの共通軸とをさらに具備する
コンテンツ提示システム。
【０１１４】
（８）
上記（１）から（７）のうちいずれか一つに記載のコンテンツ提示システムであって、
上記風提示装置は、上記振動板の振動によって音を発生させる
コンテンツ提示システム。
【０１１５】
（９）
上記（１）から（８）のうちいずれか一つに記載のコンテンツ提示システムであって、
上記風提示装置は、上記筐体内に配置され、上記空間内の空気の温度を変化させる温度変化素子をさらに具備する
コンテンツ提示システム。
【０１１６】
（１０）
上記（９）に記載のコンテンツ提示システムであって、
上記信号生成部は、上記コンテンツに基づいて上記温度変化素子の温度を変化させる
コンテンツ提示システム。
【０１１７】
（１１）
上記（１）から（１０）のうちいずれか一つに記載のコンテンツ提示システムであって、
請求項１に記載のコンテンツ提示システムであって、
上記風提示装置は、上記筐体内に配置され、上記空間内の気圧を計測する気圧センサをさらに具備し、
上記信号生成部は、上記気圧センサの出力に基づいて風提示用駆動信号を生成する
コンテンツ提示システム。
【０１１８】
（１２）
上記（１）から（１１）のうちいずれか一つに記載のコンテンツ提示システムであって、
上記風提示装置は、上記筐体内に配置され、上記空間内の温度を計測する温度センサをさらに具備し、
上記信号生成部は、上記温度センサの出力に基づいて風提示用駆動信号を生成する
コンテンツ提示システム。
【０１１９】
（１３）
上記（１）から（１２）のうちいずれか一つに記載のコンテンツ提示システムであって、
上記風提示装置は、上記開口を閉塞可能な弁を備え、
上記信号生成部は、上記振動板駆動機構を制御して上記空間内の気圧を上昇させ、コンテンツに含まれる所定のトリガに基づいて上記弁を開放させる
コンテンツ提示システム。
【０１２０】
（１４）
開口が設けられた筐体と、上記筐体に支持された振動板と、上記振動板を駆動して上記筐体と上記振動板によって形成された空間の容積を減少させ、上記空間内の空気を上記開口から噴出させる振動板駆動機構とを備える風提示装置と、
ユーザに触覚を提示する触覚提示装置と、
ユーザに音を提示する音提示装置と
を具備するコンテンツ提示装置。
【０１２１】
（１５）
開口が設けられた筐体と、
上記筐体に支持された振動板と、
上記振動板を駆動して上記筐体と上記振動板によって形成された空間の容積を減少させ、上記空間内の空気を上記開口から噴出させる振動板駆動機構と
を具備する風提示装置。
【符号の説明】
【０１２２】
１００…コンテンツ提示装置
１０１…支持部材
１０２…風提示装置
１０３…触覚提示装置
１０４…音提示装置
１１１…筐体
１１２…振動板
１１３…コイル
１１４…ダンパー
１１５…マグネット
１１６…軸芯
１１７…逆止弁
１１８…逆止弁
１１９，１２０…プロペラ
１２１…共通軸
１２２…ダクト構造
１２３…温度変化素子
１５０…コンテンツ提示システム
１６１…提示データ生成部
１６２…風データ処理部
１６３…触覚データ処理部
１６４…音響データ処理部
１６５…通信部
１６６…風提示部
１６７…触覚提示部
１６８…音響提示部
【図１】
2018163700.tif 000003
【図２】
2018163700.tif 000004
【図３】
2018163700.tif 000005
【図４】
2018163700.tif 000006
【図５】
2018163700.tif 000007
【図６】
2018163700.tif 000008
【図７】
2018163700.tif 000009
【図８】
2018163700.tif 000010
【図９】
2018163700.tif 000011
【図１０】
2018163700.tif 000012
【図１１】
2018163700.tif 000013
【図１２】
2018163700.tif 000014
【図１３】
2018163700.tif 000015
【図１４】
2018163700.tif 000016
【図１５】
2018163700.tif 000017
【図１６】
2018163700.tif 000018
【図１７】
2018163700.tif 000019
【図１８】
2018163700.tif 000020
【図１９】
2018163700.tif 000021
【図２０】
2018163700.tif 000022
【図２１】
2018163700.tif 000023
【図２２】
2018163700.tif 000024
【国際調査報告】
2018163700.tif 000025
2018163700.tif 000026
2018163700.tif 000027
2018163700.tif 000028